【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
取り付けプレートと、
前記取り付けプレートの中央部に縦方向に沿い形成された細長いスロットと、
前記取り付けプレートの側面側に形成された凹部と、
前記取り付けプレートの頂部から延びるネックと、
前記ネックから延びる顆状ヘッドと、を具備し、前記凹部は前記スロットから外方へそして前記スロットの周りに環状に延びていることを特徴とする顆状ヘッド交換部。
【請求項２】
少なくとも１つのファスナーを具備しており、前記ファスナーは前記取り付けプレートの前記細長いスロット内に挿入され、前記ファスナーが前記顆状ヘッドの高さを調整するため前記細長いスロット内で動かされる請求項１記載の顆状ヘッド交換部。
【請求項３】
更に、高さ調整プレートであるが、該高さ調整プレートが前記取り付けプレートの前記細長いスロット上でそして前記凹部内にフィットするよう、形作られた該高さ調整プレートを具備しており、前記高さ調整プレートが少なくとも１つの孔を備える請求項１記載の顆状ヘッド交換部。
【請求項４】
更にカウンターシンクを備えており、前記カウンターシンクが前記高さ調整プレート内の前記孔の周りに同心状に形成される請求項３記載の高さ調整プレート。
【請求項５】
更に前記高さ調整プレートを頂部の半分及び底部の半分に分ける中心線に沿って非対称の形状を備える請求項３記載の高さ調整プレート。
【請求項６】
更に、対称の形状を備える請求項３記載の高さ調整プレート。
【請求項７】
更に前記取り付けプレート上の前記凹部の形状に補足的である形状を備える請求項３記載の高さ調整プレート。
【請求項８】
前記少なくとも１つの孔が２つの孔を有する請求項３記載の高さ調整プレート。
【請求項９】
前記少なくとも１つの孔が、前記高さ調整プレートの縦中央線に沿う種々の位置に置かれる請求項３記載の高さ調整プレート。
【請求項１０】
前記高さ調整プレートの縦中央線に沿う前記少なくとも１つの孔の特定位置が、前記顆状ヘッドの特定の高さと対応する請求項３記載の高さ調整プレート。
【請求項１１】
更に前記取り付けプレートのメディアル側に形成された凹型のチャンネルを具備しており、前記凹型のチャンネルが前記細長いスロットを囲む請求項１記載の顆状ヘッド交換部。
【請求項１２】
更に、開いた底部端部を有する請求項１１記載の凹型のチャンネル。
【請求項１３】
取り付けプレートと、
前記取り付けプレートの中央部に、縦方向に沿って形成された細長いスロットと、
前記細長いスロット上にフィットするよう形成された高さ調整プレートとを備え、前記高さ調整プレートは、高さ調整プレートを通って延びる一対の孔を有し、前記孔は、前記高さ調整プレートが前記細長いスロット上にフィットするとき前記細長いスロットと整合され、
前記取り付けプレートを再生プレートに取り付けるように、前記一対の孔を通り、前記細長いスロットを通ってそれぞれ挿入されるように構成される一対のファスナーを備える、ことを特徴とする顆状ヘッド交換部。
【請求項１４】
更に前記取り付けプレートの側面側に形成された凹部を具備しており、前記凹部は前記スロットから外方へそして前記細長いスロットの周りで環状に延びる請求項１３記載の顆状ヘッド交換部。
【請求項１５】
更に高さ調整プレートであるが、該高さ調整プレートが前記取り付けプレートの前記細長いスロット上に、かつ、前記凹部内に、フィットするよう形作られた該高さ調整プレートを具備しており、前記高さ調整プレートは少なくとも１つの孔を備える請求項１４記載の顆状ヘッド交換部。
【請求項１６】
第１取り付けプレートと、
前記第１取り付けプレートの中央部に縦方向に沿って形成された細長いスロットと、
前記第１取り付けプレートのメディアル側に形成された凹型のチャンネルと、
前記第１取り付けプレートの前記メディアル側上で、前記凹型のチャンネルの縦側に隣接して形成された交互のほぞ穴及び腱のシリーズと、
前記第１取り付けプレートの頂部から延びるネックと、
前記ネックから延びる顆状ヘッドと、
第２取り付けプレートと、
前記第２取り付けプレートの側面側上に形成された凹型のチャンネルと、
前記第２取り付けプレート上で前記凹型のチャンネル内に形成された少なくとも１つの孔と、そして
前記第２取り付けプレートの前記側面側上で前記凹型のチャンネルの縦側に隣接して形成された交互のほぞ穴と腱のシリーズと、を具備しており、前記凹型のチャンネルは前記スロットを囲み、かつ、開いた底部端部を有しており、前記第２取り付けプレート上の交互のほぞ穴と腱の前記シリーズは前記第１取り付けプレート上の交互のほぞ穴と腱の前記シリーズと対応しており、
前記第１取り付けプレートの前記メディアル側は、前記第１取り付けプレート上の前記ほぞ穴又は腱の少なくとも１つが、前記第２取り付けプレート上の前記ほぞ穴又は腱の少なくとも１つと嵌合するように前記第２取り付けプレートの前記側面側と係合することを特徴とする顆状ヘッド交換部。
【請求項１７】
前記第１取り付けプレート上の交互のほぞ穴と腱の前記シリーズの部分は、前記第１取り付けプレートが、前記顆状ヘッドの種々の高さに対応する種々の位置で、前記第２取り付けプレートと係合するよう、前記第２取り付けプレート上の交互のほぞ穴と腱の前記シリーズの種々の部分と嵌合する請求項１６記載の顆状ヘッド交換部。
【請求項１８】
更に前記第１取り付けプレート及び第２取り付けプレートを接続する少なくとも１つのファスナーを具備する請求項１６記載の顆状ヘッド交換部。
【請求項１９】
更に前記第１取り付けプレート内の前記スロットを通り、前記第２取り付けプレート内の前記孔内に挿入される少なくとも１つのファスナーを具備する請求項１６記載の顆状ヘッド交換部。
【請求項２０】
更に前記第２取り付けプレート内の前記孔を通り、前記第１取り付けプレート内の前記スロット内へ挿入された少なくとも１つのファスナーを具備する請求項１６記載の顆状ヘッド交換部。
【請求項２１】
更に前記第１取り付けプレートの側面側に形成された凹部を具備しており、前記凹部は前記スロットから外方へそして前記スロットの周りに環状に延びる請求項１６記載の顆状ヘッド交換部。
【請求項２２】
更に前記第２取り付けプレートのメディアル側に形成されたカウンターシンクを具備しており、前記カウンターシンクは前記第２取り付けプレート内の前記孔の周りに同心状に形成される請求項１６記載の顆状ヘッド交換部。
【請求項２３】
取り付けプレートと、
前記取り付けプレートの中央に縦方向に沿って形成された細長いスロットと、
前記細長いスロットから外方に延び、前記取り付けプレートの側面側に形成された凹部と、
前記取り付けプレートの頂部から延びるネックと、
前記ネックから延びる顆状ヘッドと、
少なくとも１つの孔を備え、アンテリア端部及びポステリア端部を備えた再生プレートと、を有し、
前記取り付けプレートのメディアル側は、前記取り付けプレート内の前記細長いスロットが前記再生プレート内の前記孔上に整合されるように前記再生プレートの側面側を受け入れ、
前記高さ調整プレートは、前記高さ調整プレート内の前記孔が前記再生プレート内の前記孔上に整合されるように前記取り付けプレート内の前記細長いスロット上で、かつ前記取り付けプレート上の前記凹型の部分内に位置付けられることを特徴とする顆状ヘッド交換部。
【請求項２４】
第１取り付けプレートと、
前記第１取り付けプレートの中央に縦方向に沿って形成された細長いスロットと、
前記第１取り付けプレートのメディアル側に形成された凹型のチャンネルと、
前記第１取り付けプレートの前記メディアル側で前記凹型のチャンネルの縦側に隣接して形成された交互のほぞ穴及び腱のシリーズと、
前記第１取り付けプレートの頂部から延びるネックと、
前記ネックから延びる顆状ヘッドと、
第２取り付けプレートと、
前記第２取り付けプレートの側面側に形成された凹型のチャンネルと、
前記第２取り付けプレート上で前記凹型のチャンネル内に形成された少なくとも１つの孔と、
前記第２取り付けプレートの前記側面側で前記凹型のチャンネルの縦側に隣接して形成された交互のほぞ穴と腱のシリーズと、を具備しており、前記第２取り付けプレート上の交互のほぞ穴と腱の前記シリーズは前記第１取り付けプレート上の交互のほぞ穴と腱の前記シリーズと対応しており、
アンテリア端部及びポステリア端部を備える再生プレートと、
少なくとも１つのファスナーと、を具備しており、前記凹型のチャンネルは前記スロットを囲み、かつ、開いた底部端部を有しており、前記再生プレートは少なくとも１つの孔を備えており、
前記第２取り付けプレートの側面側は、前記再生プレートの前記メディアル側が前記第２取り付けプレート上の前記凹型のチャンネル内部に配置されるよう、前記再生プレートのメディアル側上に位置付けられ、
前記第１取り付けプレートのメディアル側は、前記再生プレートの前記側面側が前記第１取り付けプレート上の前記凹型のチャンネルの内部に配置されるよう、前記再生プレートの側面側上に位置付けられ、
前記第１取り付けプレートの前記メディアル側は、前記第１取り付けプレート上の前記ほぞ穴又は腱の少なくとも１つが、前記第２取り付けプレート上の前記ほぞ穴又は腱の少なくとも１つと嵌合するよう、前記第２取り付けプレートの前記側面側と係合し、
前記ファスナーが、前記第１取り付けプレート内の前記スロットを通り、前記再生プレート内の前記孔を通り、そして前記第２取り付けプレート内の前記孔内へ挿入されるか、又は前記ファスナーが、前記第２取り付けプレート内の前記孔を通り、前記再生プレート内の前記孔を通り、そして前記第１取り付けプレート内の前記孔内へ挿入されることを特徴とする顆状ヘッド交換部。
【請求項２５】
前記第１取り付けプレート上の交互のほぞ穴及び腱の前記シリーズの部分は、前記第１取り付けプレートが、前記顆状ヘッドの種々の高さに対応する種々の位置で前記第２取り付けプレートと係合するように前記第２取り付けプレート上の交互のほぞ穴及び腱の前記シリーズの種々の部分と嵌合する請求項２４記載の顆状ヘッド交換部。
【請求項２６】
前記少なくとも１つファスナーは、
先端開口部、ヘッド及び前記ヘッドの近くから前記先端開口部へ延びるキャビテイを有する少なくとも１つのボルトと、
少なくとも１つのねじとを備えており、
前記ボルトは前記第２取り付けプレート内の前記スロットを通り前記再生プレート内の前記孔内へ挿入され、
前記ねじは前記第１取り付けプレート内の前記スロットを通り前記再生プレート内の前記孔を通って前記ボルト内の前記キャビテイ内へ挿入される請求項２４記載の顆状ヘッド交換部。
【請求項２７】
前記取り付けプレートは、前記顆状ヘッドの特定の高さと対応する少なくとも１つの孔を支持する請求項１記載の顆状ヘッド交換部。
【請求項２８】
前記少なくとも１つの孔は、前記取り付けプレートによって支持されるように構成された高さ調整プレートによって形成される請求項２７記載の顆状ヘッド交換部。
【請求項２９】
前記凹部は、囲まれている請求項１記載の顆状ヘッド交換部。
【請求項３０】
前記取り付けプレートのメディアル側に形成された凹型のチャンネルをさらに備え、前記凹型のチャンネルは、前記細長いスロットを囲み且つ開いた底部端部を有し、前記チャンネルは、前記再生プレートを受け入れるように構成される請求項１３記載の顆状ヘッド交換部。
【請求項３１】
前記取り付けプレートの頂部から延びるネック及び前記ネックから延びる顆状ヘッドをさらに備える請求項３０記載の顆状ヘッド交換部。
【請求項３２】
凹部を形成する壁をさらに備え、前記凹部は前記取り付けプレートの側面側に形成され且つ前記スロットから外方へ延び、前記壁は、前記孔が前記細長いスロットと確実に整合するように高さ調整プレートと係合する請求項１３記載の顆状ヘッド交換部。
【請求項３３】
前記凹部は、前記細長いスロットの周りに環状に延びている請求項２３記載の顆状ヘッド交換部。
【請求項３４】
前記取り付けプレートの前記メディアル側に形成されたチャンネルをさらに備え、前記チャンネルは、前記細長いスロットを囲み、前記チャンネル内に前記再生プレートを受け入れるように構成される請求項２３記載の顆状ヘッド交換部。
【請求項３５】
高さ調整プレートをさらに備え、前記高さ調整プレートが前記取り付けプレートの前記細長いスロット上に、かつ、前記取り付けプレートの前記凹部内に、フィットするよう形作られ、前記高さ調整プレートは少なくとも１つの孔を有する請求項３４記載の顆状ヘッド交換部。
【請求項３６】
前記高さ調整プレートの前記孔を通り、且つ前記再生プレートの前記孔に挿入されるように構成される少なくとも１つのファスナーをさらに備える請求項３５記載の顆状ヘッド交換部。
【請求項３７】
前記取り付けプレートは、第１取り付けプレートを備え、前記顆状ヘッド交換部は、第２取り付けプレートと、前記第２取り付けプレートの側面側上に形成された凹型のチャンネルと、前記第２取り付けプレート上で前記凹型のチャンネル内に形成された少なくとも１つの孔とをさらに備える請求項３４記載の顆状ヘッド交換部。
【請求項３８】
前記第１取り付けプレートの前記メディアル側は、前記第２取り付けプレートの前記側面側に係合する請求項３７記載の顆状ヘッド交換部。
【請求項３９】
前記第１取り付けプレート及び前記第２取り付けプレートの各々は、交互のほぞ穴及び腱のシリーズを備え、前記第１取り付けプレート上の前記ほぞ穴及び腱の少なくとも１つは、前記第２取り付けプレート上の前記ほぞ穴又は腱の少なくとも１つと嵌合する請求項３８記載の顆状ヘッド交換部。